(57)【要約】  【課題】露光感度を自動的に変更する電子カメラで、撮影者が意図しない値まで感度が高められてしまうことを防止する。  【解決手段】電子カメラは、演算によって制御シャッタ速度ＴＶｃを決定する露出モード（ＰモードおよびＡモード）では、被写体輝度ＢＶおよび設定撮像感度ＳＶｓから求められる露出値ＥＶを用いて露出演算し、撮像感度自動変更モードに設定されていれば（Ｓ２１０を肯定判定）、適正露出が得られない場合に設定撮像感度ＳＶｓを変更して制御撮像感度ＳＶｃを演算する（Ｓ２２４）。このとき、制御シャッタ速度ＴＶｃの範囲をＴＶ０（感度変更シャッタ速度）≦ＴＶｃ≦１２とするように制御撮像感度ＳＶｃを決定する（Ｓ２１７〜Ｓ２２３）。制御撮像感度ＳＶｃがＳＤ（制御下限感度）≦ＳＶｃ≦ＳＵ（制御上限感度）の範囲に入らないとき、制御シャッタ速度ＴＶｃを−５≦ＴＶｃ≦１２の範囲において変更する（図９）。制御下限感度ＳＤおよび制御上限感度ＳＵは、カスタムセッティング操作部材１０６（図１）からの設定処理によって変更可能に構成される。  【選択図】図８
2006222757.tif 000002
【特許請求の範囲】
【請求項１】
撮影レンズを通して被写体像を撮像する撮像装置と、
被写体の輝度を検出する輝度検出手段と、
前記撮像装置に設定されている露光感度、前記撮像装置に設定されている露光時間、前記撮影レンズに設定されている絞り値、および前記輝度検出手段で検出される被写体輝度のうち、少なくとも前記露光感度および前記被写体輝度を用いて露出演算を行う露出演算手段と、
設定指示に応じて露光感度変更範囲を設定する露光感度変更範囲設定手段と、
前記露出演算手段による露出演算で適正露出が得られない場合、適正露出に近づけるために必要な前記露光感度の変更量を演算し、前記露光感度変更範囲設定手段によって設定されている前記露光感度変更範囲において、前記演算した変更量に応じて前記露光感度を変更する露光感度変更手段と、
前記露光感度変更手段による変更後の露光感度を用いてさらに露出演算を行うように前記露出演算手段に指示する演算指示手段とを備えることを特徴とする電子カメラ。
【請求項２】
請求項１に記載の電子カメラにおいて、
前記露光感度変更範囲設定手段は、前記設定指示に応じて前記露光感度変更範囲の上限および下限の少なくとも一方を設定することを特徴とする電子カメラ。
【請求項３】
請求項２に記載の電子カメラにおいて、
前記露光感度変更範囲設定手段は、前記上限＞前記下限が成立するように前記露光感度変更範囲を設定することを特徴とする電子カメラ。
【請求項４】
請求項１〜３のいずれか一項に記載の電子カメラにおいて、
前記露光感度変更手段は、露光時間を演算により決定する露出演算モードの場合、前記露光時間を所定範囲に収めるように前記露光感度の変更量を演算することを特徴とする電子カメラ。
【発明の詳細な説明】
【技術分野】
【０００１】
本発明は、撮像素子などによって撮像した画像データを記録する電子カメラにおいて、撮像感度を自動的に変更する技術に関する。
【背景技術】
【０００２】
撮像感度（露光感度）を自動的に変更する電子カメラが知られている（特許文献１参照）。特許文献１に記載の電子カメラは、撮像感度が変更可能（撮像感度自動変更モードと呼ぶことにする）に設定されているとき、被写体輝度に応じて絞り値、シャッタ速度、ならびに撮像感度を決定する。撮像感度は、シャッタ速度および絞り値が制御限界に達しても適正露出が得られていない場合に、適正露出に近づけるように自動的に変更される。
【０００３】
【特許文献１】特開２００３−１９５３８４号公報
【発明の開示】
【発明が解決しようとする課題】
【０００４】
上記電子カメラでは、撮像感度を高める方向に変更される場合、変更処理の上限（上記例ではＩＳＯ１６００相当）の撮像感度まで高められてしまい、撮影者が意図しない値へ変更されることがあった。
【課題を解決するための手段】
【０００５】
本発明による電子カメラは、撮影レンズを通して被写体像を撮像する撮像装置と、被写体の輝度を検出する輝度検出手段と、撮像装置に設定されている露光感度、撮像装置に設定されている露光時間、撮影レンズに設定されている絞り値、および輝度検出手段で検出される被写体輝度のうち、少なくとも露光感度および被写体輝度を用いて露出演算を行う露出演算手段と、設定指示に応じて露光感度変更範囲を設定する露光感度変更範囲設定手段と、露出演算手段による露出演算で適正露出が得られない場合、適正露出に近づけるために必要な露光感度の変更量を演算し、露光感度変更範囲設定手段によって設定されている露光感度変更範囲において、演算した変更量に応じて露光感度を変更する露光感度変更手段と、露光感度変更手段による変更後の露光感度を用いてさらに露出演算を行うように露出演算手段に指示する演算指示手段とを備えることを特徴とする。
電子カメラの露光感度変更範囲設定手段は、設定指示に応じて露光感度変更範囲の上限および下限の少なくとも一方を設定することもできる。この場合の露光感度変更範囲設定手段は、上限＞下限が成立するように露光感度変更範囲を設定する。
露光感度変更手段は、露光時間を演算により決定する露出演算モードの場合、露光時間を所定範囲に収めるように露光感度の変更量を演算することもできる。
【発明の効果】
【０００６】
本発明による電子カメラでは、露光感度変更範囲設定手段によって設定されている露光感度変更範囲内において露光感度を自動的に変更するようにしたので、たとえば、撮影者が意図しない値まで感度が高められてしまうことを防止できる。
【発明を実施するための最良の形態】
【０００７】
以下、図面を参照して本発明を実施するための最良の形態について説明する。図１は、本発明の一実施形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。撮像素子１２１は、ＣＣＤイメージセンサなどによって構成される。撮像素子１２１は、撮影レンズＬを通過した被写体光による像を撮像し、撮像信号をＡ／Ｄ変換回路１２２へ出力する。
【０００８】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動される。
【０００９】
撮像素子１２１は、後述する撮像感度自動変更モード時に、使用者によって設定されている範囲内において撮像感度（露光感度）を所定のステップで変更可能に構成されている。撮像感度とは、撮像素子１２１に蓄積される信号電荷の検出感度、もしくは不図示の増幅回路の増幅利得を変化させる被制御量のことをいう。撮像感度は、相当するＩＳＯ感度値で示される。
【００１０】
撮像信号処理回路を構成するＡＳＩＣ１２３は、ディジタル変換後の信号に所定の画像処理を行う。画像処理は、ホワイトバランス（ＷＢ）調整処理、画像データを所定の形式で圧縮する圧縮処理、圧縮処理後のデータを伸長する伸長処理を含む。バッファメモリ１２５は、ＡＳＩＣ１２３によって信号処理された画像データを逐次入力し、当該データを一時的に格納する。記録媒体１２６は、着脱可能なフラッシュメモリなどによって構成される。記録媒体１２６は、バッファメモリ１２５に一時格納されている画像データを記録する。
【００１１】
感度設定操作部材１０２は、撮像感度設定操作に応じて操作信号を演算回路１０１へ出力する。演算回路１０１は、撮像感度設定操作信号に応じて上述した撮像素子１２１の撮像感度の設定値を変更する。設定撮像感度ＳＶｓの設定範囲は、たとえば、５≦ＳＶｓ≦１１、すなわち、ＩＳＯ１００相当〜ＩＳＯ６４００相当の範囲で設定可能に構成されている。
【００１２】
露出モード設定操作部材１０３は、露出モード設定操作に応じてプログラム自動露出制御モード（Ｐ）、シャッタ速度優先自動露出制御モード（Ｓ）、絞り優先自動露出制御モード（Ａ）、およびマニュアル露出モード（Ｍ）への切り換え操作信号を演算回路１０１へ出力する。
【００１３】
プログラム自動露出制御モードでは、適正露出が得られるように撮像素子１２１の露光時間および絞り値を所定の組み合わせで変更可能にして制御露出を演算する。シャッタ速度（露光時間）優先自動露出制御モードでは、設定されている露光時間で適正露出が得られるように絞り値を変更可能にして制御露出を演算する。絞り優先自動露出制御モードでは、設定されている絞り値で適正露出が得られるように露光時間を変更可能にして制御露出を演算する。マニュアル露出モードでは、設定されている露光時間および絞り値による制御露出と適正露出との偏差を演算する。
【００１４】
シャッタ速度設定操作部材１０４は、シャッタ速度設定操作に応じて操作信号を演算回路１０１へ出力する。演算回路１０１は、シャッタ速度設定操作信号に応じてシャッタの開口時間を設定し、上述した撮像素子１２１の露光時間を制御する。ここで、設定シャッタ速度（露光時間）ＴＶｓの設定範囲は、たとえば、−５≦ＴＶｓ≦１２、すなわち、３０秒〜１／４０００秒の範囲で設定可能に構成されている。
【００１５】
絞り設定操作部材１０５は、絞り設定操作に応じて操作信号を演算回路１０１へ出力する。演算回路１０１は、入力された絞り設定操作信号に応じて絞り値を設定する。設定絞り値ＡＶｓの設定範囲（すなわち、開放絞り値および最小絞り口径値）は、装着されている撮影レンズＬによって異なる。撮影レンズＬのレンズ情報は、後述するレンズ情報検出装置１０８を介して演算回路１０１へ入力される。
【００１６】
カスタムセッティング操作部材１０６は、撮像感度自動変更モードの設定／解除、撮像感度自動変更モードに設定されている場合において変更を許可する撮像感度の上限、下限、および撮像感度自動変更モードに設定されている場合において撮像感度を変更する際のシャッタ速度について、設定操作を行うための操作部材である。カスタムセッティング操作部材１０６は、各設定操作に応じた設定操作信号を演算回路１０１へ出力する。演算回路１０１は、入力される操作信号に応じて撮像感度自動変更モードの設定や解除、撮像感度の上限や下限の設定、および撮像感度を変更する際のシャッタ速度の設定などを行う。撮像感度自動変更モードでは、適正露出に近づけるように、露出偏差ΔＥＶに応じて撮像感度を自動的に変更して制御露出が演算される。露出偏差ΔＥＶは、制御露出と適正露出との偏差である。感度自動変更モードが解除されていると、設定されている撮像感度で適正露出が得られるように制御露出が演算される。
【００１７】
表示装置１０７は、演算回路１０１の指令によりシャッタ速度、絞り値、設定撮像感度、露出モード、制御撮像感度、撮像感度自動変更モードの設定状態、撮像感度自動変更モードの作動状態などを表示する。
【００１８】
レンズ情報検出装置１０８は、レンズマウント（不図示）の近傍に配設されたインターフェイス回路によって構成される。レンズ情報検出装置１０８は、レンズマウントに装着された撮影レンズＬに内蔵されているレンズＣＰＵ（不図示）との間で通信を行い、レンズＣＰＵから得たレンズ情報を演算回路１０１へ転送する。なお、撮影レンズＬが未装着の場合はレンズＣＰＵからレンズ情報が得られないので、演算回路１０１が撮影レンズＬの未装着を判定する。
【００１９】
レリーズスイッチＳＷ１は、不図示のレリーズ操作ボタンの押し下げに連動してレリーズ操作信号を演算回路１０１へ出力する。測光装置１１１は、撮影レンズＬを透過した光量を検出し、検出信号を演算回路１０１へ出力する。
【００２０】
モータ駆動回路１１２は、演算回路１０１の指令によってシーケンスモータ１１３を駆動制御する。シーケンススイッチＳＷ２は、不図示のシーケンス駆動装置を構成し、シーケンスモータ１１３のブレーキ制御タイミングなどを発生するスイッチである。シーケンスモータ１１３は、不図示のシーケンス駆動装置を構成し、不図示のミラーのアップ／ダウン、不図示の絞りの駆動、およびシャッタ１１５のチャージなどを行う。シャッタ駆動回路１１４は、シャッタ１１５の不図示の先幕および後幕の保持および解除をそれぞれ制御する。
【００２１】
絞り位置検出装置１１６は、絞り値に対応する絞り位置を検出して検出信号を演算回路１０１に出力する。絞り係止装置１１７は、駆動中の絞りを係止し、所定の絞り値で絞りを停止させる。
【００２２】
本実施形態の電子カメラは、感度自動変更モードにおける動作に関し、とくに、電子カメラが制御露出を演算する場合に自動変更する露光感度変更範囲（撮像感度の上限、下限で決定される感度制御範囲）を、撮影者によって設定可能に構成したものである。
【００２３】
（メイン処理）
第一の実施の形態による電子カメラの演算回路１０１で行われるカメラ動作の処理の流れについて、図２のフローチャートを参照して説明する。図２のフローチャートによるプログラムは、電子カメラに不図示の電池が装填されると起動する。図２のステップＳ１において、演算回路１０１は以下の初期設定を行う。すなわち、設定撮像感度ＳＶｓを７（ＩＳＯ４００に相当）に、設定シャッタ速度ＴＶｓを７（１／１２５秒）に、設定絞り値ＡＶｓを５（Ｆ５．６）に、モードパラメータＭpを１に、感度自動変更モード設定フラグＳを０に、感度変更シャッタ速度ＴＶ0を５（１／３０秒）に、制御下限感度ＳDを５（ＩＳＯ１００に相当）に、制御上限感度ＳUを９（ＩＳＯ１６００に相当）に、それぞれセットしてステップＳ２へ進む。なお、ＳＶｓ、ＳD、ＳU、ＴＶｓ、ＴＶ0およびＡＶｓは、それぞれアペックス値が用いられる。
【００２４】
モードパラメータＭｐは、電子カメラがプログラム自動露出制御モード（Ｐ）に設定されると１に、シャッタ速度優先（露光時間優先）自動露出制御モード（Ｓ）に設定されると２に、絞り優先自動露出制御モード（Ａ）に設定されると３に、マニュアル露出モード（Ｍ）に設定されると４に、それぞれセットされるパラメータである。感度自動変更モード設定フラグＳは、電子カメラが撮像感度自動変更モードに設定されると１に、撮像感度自動変更モードが解除されると０にされるフラグである。感度変更シャッタ速度ＴＶ0は、プログラム自動露出制御モード（Ｐ）または絞り優先自動露出制御モード（Ａ）において、制御シャッタ速度の範囲を制限する場合の長秒時側（すなわち、低速側）のシャッタ速度である。
【００２５】
制御下限感度ＳDは、感度自動変更モードにおいて撮像感度の自動変更範囲（感度制御範囲）の低感度側の値である。制御上限感度ＳUは、感度自動変更モードにおいて撮像感度の自動変更範囲（感度制御範囲）の高感度側の値である。
【００２６】
ステップＳ２において、演算回路１０１は、撮影レンズＬとの間で通信処理を行ってステップＳ３へ進む。通信処理の詳細については後述する。ステップＳ３において、演算回路１０１は、フラグＬ＝１か否かを判定する。フラグＬは、撮影レンズＬのレンズＣＰＵとの間で通信が成立すると１に、通信成立しない場合に０にされるフラグである。演算回路１０１は、Ｌ＝１の場合にステップＳ３を肯定判定してステップＳ４へ進み、Ｌ＝０の場合にステップＳ３を否定判定してステップＳ２へ戻る。演算回路１０１は、ステップＳ４へ進む場合には撮影レンズＬが装着されているとみなし、ステップＳ２へ戻る場合には撮影レンズＬが未装着とみなす。
【００２７】
ステップＳ４において、演算回路１０１は、設定処理を行ってステップＳ５へ進む。設定処理の詳細については後述する。ステップＳ５において、演算回路１０１は、測光装置１１１から入力される検出信号によってレンズ透過光量（ＢＶ−ＡＶ0）を演算し、この演算値を用いて被写体輝度ＢＶを演算する測光を行い、ステップＳ６へ進む。被写体輝度ＢＶは、レンズ透過光量（ＢＶ−ＡＶ0）に開放絞り値ＡＶ0を加算することにより求めることができる。開放絞り値ＡＶ0は、通信処理で取得するレンズ情報に含まれる。
【００２８】
ステップＳ６において、演算回路１０１は、露出演算処理を行ってステップＳ７へ進む。露出演算処理の詳細については後述する。ステップＳ７において、演算回路１０１は、表示装置１０７に対する表示処理を行ってステップＳ８へ進む。表示処理の詳細については後述する。
【００２９】
ステップＳ８において、演算回路１０１は、レリーズスイッチＳＷ１が操作されたか否かを判定する。演算回路１０１は、レリーズスイッチＳＷ１から操作信号が入力された場合にステップＳ８を肯定判定してステップＳ９へ進み、レリーズスイッチＳＷ１から操作信号が入力されない場合にステップＳ８を否定判定してステップＳ２へ戻る。
【００３０】
ステップＳ９において、演算回路１０１は、撮像シーケンス処理を行ってステップＳ２へ戻る。撮像シーケンス処理の詳細については後述する。これにより、一連の撮影処理が終了する。
【００３１】
（通信処理）
カメラ本体１および撮影レンズＬ間の通信処理の詳細について、図３のフローチャートを参照して説明する。図３のステップＳ１１において、演算回路１０１は、時間ｔの計時を開始してステップＳ１２へ進む。ｔの初期値は０である。ステップＳ１２において、演算回路１０１は、レンズＣＰＵ（不図示）との間の通信が成立したか否かを判定する。通信成立の判定は、所定のプロトコルチェックによって行う。演算回路１０１は、通信成立の場合にステップＳ１２を肯定判定してステップＳ１３へ進む。一方、演算回路１０１は、通信不成立の場合にステップＳ１２を否定判定してステップＳ１６へ進む。
【００３２】
ステップＳ１３において、演算回路１０１は、レンズＣＰＵから取得したレンズ情報に含まれる開放絞り値ＡＶ0および最小口径絞り値ＡＶMを解読してステップＳ１４へ進む。ステップＳ１４において、演算回路１０１は、フラグＬに１をセットしてステップＳ１５へ進む。ステップＳ１５において、演算回路１０１は、時間ｔの計時を停止して図２のステップＳ３へ進む。
【００３３】
上述したステップＳ１２を否定判定して進むステップＳ１６において、演算回路１０１は、計時時間ｔと所定時間Ｔとの間にｔ≧Ｔが成立するか否かを判定する。所定時間Ｔは、プロトコルチェックに要する時間に、若干のマージン時間を加えた時間である。演算回路１０１は、ｔ≧Ｔが成立する場合にステップＳ１６を肯定判定してステップＳ１７へ進み、ｔ≧Ｔが成立しない場合にステップＳ１６を否定判定してステップＳ１２へ戻る。ステップＳ１７へ進む場合は、撮影レンズＬが装着されていない場合であり、ステップＳ１２へ戻る場合は、プロトコルチェックの途中である。ステップＳ１７において、演算回路１０１は、フラグＬに０をセットしてステップＳ１５へ進む。
【００３４】
（設定処理）
設定処理の詳細について、図４、図５、図６および図７のフローチャートを参照して説明する。図４のステップＳ１０１において、演算回路１０１は、カスタムセッティング操作が行われたか否かを判定する。演算回路１０１は、カスタムセッティング操作部材１０６から操作信号が入力された場合にステップＳ１０１を肯定判定してステップＳ１０２へ進み、操作信号が入力されない場合にステップＳ１０１を否定判定し、図６のステップＳ１５１へ進む。
【００３５】
ステップＳ１０２において、演算回路１０１は、カスタムセッティング操作部材１０６による操作信号が感度自動変更モードの変更操作に対応するか否かを判定する。演算回路１０１は、感度自動変更モード設定／解除操作である場合にステップＳ１０２を肯定判定してステップＳ１０３へ進み、感度自動変更モード設定／解除操作でない場合にステップＳ１０２を否定判定し、ステップＳ１０６へ進む。
【００３６】
ステップＳ１０３において、演算回路１０１は、感度自動変更モード設定フラグＳ＝０か否かを判定する。演算回路１０１は、Ｓ＝０（撮像感度自動変更モードが解除されている）の場合にステップＳ１０３を肯定判定してステップＳ１０４へ進み、Ｓ＝１（撮像感度自動変更モードに設定されている）の場合にステップＳ１０３を否定判定してステップＳ１０５へ進む。ステップＳ１０４において、演算回路１０１は、フラグＳを１にセット（撮像感度自動変更モードに設定）して図４による処理を終了し、図２のステップＳ５へ進む。ステップＳ１０５において、演算回路１０１は、フラグＳを０にセット（撮像感度自動変更モードを解除）して図４による処理を終了し、図２のステップＳ５へ進む。
【００３７】
ステップＳ１０６において、演算回路１０１は、カスタムセッティング操作部材１０６による操作信号が感度制御範囲（撮像感度の自動変更範囲）の変更操作に対応するか否かを判定する。演算回路１０１は、感度制御範囲の変更操作である場合にステップＳ１０６を肯定判定してステップＳ１０７へ進み、感度制御範囲の変更操作でない場合にはステップＳ１０６を否定判定し、図５のステップＳ１３１へ進む。
【００３８】
ステップＳ１０７において、演算回路１０１は、上限変更か否かを判定する。演算回路１０１は、制御上限感度ＳUの変更操作である場合にステップＳ１０７を肯定判定してステップＳ１０８へ進み、制御上限感度ＳUの変更操作でない場合にはステップＳ１０７を否定判定し、ステップＳ１１４へ進む。
【００３９】
ステップＳ１０８において、演算回路１０１は、高感度側への変更か否かを判定する。演算回路１０１は、制御上限感度ＳUを高感度側へ変更する操作の場合にステップＳ１０８を肯定判定してステップＳ１０９へ進み、高感度側へ変更する操作でない場合にはステップＳ１０８を否定判定してステップＳ１１１へ進む。
【００４０】
ステップＳ１０９において、演算回路１０１は、ＳU＝１１か否かを判定する。演算回路１０１は、ＳU＝１１（制御上限感度がＩＳＯ６４００相当）の場合にステップＳ１０９を肯定判定して図４による処理を終了し、図２のステップＳ５へ進む。この場合は、制御上限感度ＳUの上限なので高感度化しないで設定処理を終了する。一方、演算回路１０１は、ＳU≠１１の場合にステップＳ１０９を否定判定し、ステップＳ１１０へ進む。ステップＳ１１０において、演算回路１０１は、制御上限感度ＳUに１を加算して図４による処理を終了し、図２のステップＳ５へ進む。これにより、制御上限感度ＳUが１段階高感度になる。
【００４１】
ステップＳ１１１において、演算回路１０１は、低感度側への変更か否かを判定する。演算回路１０１は、制御上限感度ＳUを低感度側へ変更する操作の場合にステップＳ１１１を肯定判定してステップＳ１１２へ進み、低感度側へ変更する操作でない場合にはステップＳ１１１を否定判定し、図４による処理を終了して図２のステップＳ５へ進む。
【００４２】
ステップＳ１１２において、演算回路１０１は、ＳU＝７か否かを判定する。演算回路１０１は、ＳU＝７（制御上限感度がＩＳＯ４００相当）の場合にステップＳ１１２を肯定判定して図４による処理を終了し、図２のステップＳ５へ進む。この場合は、制御上限感度ＳUの下限なので低感度化しないで設定処理を終了する。一方、演算回路１０１は、ＳU≠７の場合にステップＳ１１２を否定判定し、ステップＳ１１３へ進む。ステップＳ１１３において、演算回路１０１は、制御上限感度ＳUから１を減算して図４による処理を終了し、図２のステップＳ５へ進む。これにより、制御上限感度ＳUが１段階低感度になる。
【００４３】
ステップＳ１０７を否定判定して進むステップＳ１１４において、演算回路１０１は、下限変更か否かを判定する。演算回路１０１は、制御下限感度ＳDの変更操作である場合にステップＳ１１４を肯定判定してステップＳ１１５へ進み、制御下限感度ＳDの変更操作でない場合にはステップＳ１１４を否定判定し、図４による処理を終了して図２のステップＳ５へ進む。
【００４４】
ステップＳ１１５において、演算回路１０１は、高感度側への変更か否かを判定する。演算回路１０１は、制御下限感度ＳDを高感度側へ変更する操作の場合にステップＳ１１５を肯定判定してステップＳ１１６へ進み、高感度側へ変更する操作でない場合にはステップＳ１１５を否定判定してステップＳ１１８へ進む。
【００４５】
ステップＳ１１６において、演算回路１０１は、ＳD＝６か否かを判定する。演算回路１０１は、ＳD＝６（制御下限感度がＩＳＯ２００相当）の場合にステップＳ１１６を肯定判定して図４による処理を終了し、図２のステップＳ５へ進む。この場合は、制御下限感度ＳDの上限なので高感度化しないで設定処理を終了する。一方、演算回路１０１は、ＳD≠６の場合にステップＳ１１６を否定判定し、ステップＳ１１７へ進む。ステップＳ１１７において、演算回路１０１は、制御下限感度ＳDに１を加算して図４による処理を終了し、図２のステップＳ５へ進む。これにより、制御下限感度ＳDが１段階高感度になる。
【００４６】
ステップＳ１１８において、演算回路１０１は、低感度側への変更か否かを判定する。演算回路１０１は、制御下限感度ＳDを低感度側へ変更する操作の場合にステップＳ１１８を肯定判定してステップＳ１１９へ進み、低感度側へ変更する操作でない場合にはステップＳ１１８を否定判定し、図４による処理を終了して図２のステップＳ５へ進む。
【００４７】
ステップＳ１１９において、演算回路１０１は、ＳD＝５か否かを判定する。演算回路１０１は、ＳD＝５（制御下限感度がＩＳＯ１００相当）の場合にステップＳ１１９を肯定判定して図４による処理を終了し、図２のステップＳ５へ進む。この場合は、制御下限感度ＳDの下限なので低感度化しないで設定処理を終了する。一方、演算回路１０１は、ＳD≠５の場合にステップＳ１１９を否定判定し、ステップＳ１２０へ進む。ステップＳ１２０において、演算回路１０１は、制御下限感度ＳDから１を減算して図４による処理を終了し、図２のステップＳ５へ進む。これにより、制御下限感度ＳDが１段階低感度になる。
【００４８】
図５のステップＳ１３１において、演算回路１０１は、感度変更（感度制御）シャッタ速度ＴＶ0の変更操作に対応するか否かを判定する。演算回路１０１は、感度変更シャッタ速度ＴＶ0の変更操作である場合にステップＳ１３１を肯定判定してステップＳ１３２へ進み、感度変更シャッタ速度ＴＶ0の変更操作でない場合にステップＳ１３１を否定判定し、図５による処理を終了して図２のステップＳ５へ進む。
【００４９】
ステップＳ１３２において、演算回路１０１は、高速側への設定か否かの判定を行う。演算回路１０１は、感度変更シャッタ速度ＴＶ0の変更操作が高速化を指示する場合にステップＳ１３２を肯定判定してステップＳ１３３へ進み、変更操作が高速化を指示しない場合にステップＳ１３２を否定判定し、ステップＳ１３６へ進む。
【００５０】
ステップＳ１３３において、演算回路１０１は、感度変更シャッタ速度ＴＶ0に１を加算してステップＳ１３４へ進む。これにより、感度変更シャッタ速度ＴＶ0が１段階高速になる。ステップＳ１３４において、演算回路１０１は、ＴＶ0＞７か否かを判定する。演算回路１０１は、ＴＶ0＞７（感度変更シャッタ速度が１／１２５秒より高速秒時）の場合にステップＳ１３４を肯定判定してステップＳ１３５へ進み、ＴＶ0＞７でない場合にはステップＳ１３４を否定判定し、図５による処理を終了して図２のステップＳ５へ進む。ステップＳ１３５において、演算回路１０１は、感度変更シャッタ速度ＴＶ0を７（１／１２５秒）に設定して図５による処理を終了し、図２のステップＳ５へ進む。この場合は、感度変更シャッタ速度設定範囲が上限（１／１２５秒）に設定される。
【００５１】
ステップＳ１３６において、演算回路１０１は、低速側への設定か否かの判定を行う。演算回路１０１は、感度変更シャッタ速度ＴＶ0の変更操作が低速化を指示する場合に、ステップＳ１３６を肯定判定してステップＳ１３７へ進む。演算回路１０１は、変更操作が低速化を指示しない場合にステップＳ１３６を否定判定し、図５による処理を終了して図２のステップＳ５へ進む。
【００５２】
ステップＳ１３７において、演算回路１０１は、感度変更シャッタ速度ＴＶ0から１を減算してステップＳ１３８へ進む。これにより、感度変更シャッタ速度ＴＶ0が１段階低速になる。ステップＳ１３８において、演算回路１０１は、ＴＶ0＜−５か否かを判定する。演算回路１０１は、ＴＶ0＜−５（感度変更シャッタ速度が３０秒より低速秒時）の場合にステップＳ１３８を肯定判定してステップＳ１３９へ進み、ＴＶ0＜−５でない場合にはステップＳ１３８を否定判定し、図５による処理を終了して図２のステップＳ５へ進む。ステップＳ１３９において、演算回路１０１は、感度変更シャッタ速度ＴＶ0を−５（３０秒）に設定して図５による処理を終了し、図２のステップＳ５へ進む。この場合は、感度変更シャッタ速度設定範囲が下限（３０秒）に設定される。
【００５３】
図６のステップＳ１５１において、演算回路１０１は、撮像感度について変更操作されたか否かを判定する。演算回路１０１は、感度設定操作部材１０２から操作信号が入力された場合にステップＳ１５１を肯定判定してステップＳ１５２へ進み、感度設定操作部材１０２から操作信号が入力されない場合にステップＳ１５１を否定判定し、ステップＳ１５８へ進む。
【００５４】
ステップＳ１５２において、演算回路１０１は、感度アップか否かの判定を行う。演算回路１０１は、感度設定操作部材１０２からの操作信号が感度アップを指示する場合にステップＳ１５２を肯定判定してステップＳ１５３へ進み、操作信号が感度アップを指示しない場合にステップＳ１５２を否定判定してステップＳ１５５へ進む。
【００５５】
ステップＳ１５３において、演算回路１０１は、ＳＶｓ＝１１か否かを判定する。演算回路１０１は、ＳＶｓ＝１１（設定撮像感度がＩＳＯ６４００相当）の場合にステップＳ１５３を肯定判定して図６による処理を終了し、図２のステップＳ５へ進む。この場合は、撮像感度設定範囲の上限なのでさらなる感度アップをすることなく設定処理を終了する。一方、演算回路１０１は、ＳＶｓ≠１１の場合にステップＳ１５３を否定判定し、ステップＳ１５４へ進む。ステップＳ１５４において、演算回路１０１は、設定撮像感度ＳＶｓに１／３を加算して図６による処理を終了し、図２のステップＳ５へ進む。これにより、設定撮像感度ＳＶｓが１／３段階高く変更される。
【００５６】
ステップＳ１５５において、演算回路１０１は、感度ダウンか否かの判定を行う。演算回路１０１は、感度設定操作部材１０２からの操作信号が感度ダウンを指示する場合にステップＳ１５５を肯定判定してステップＳ１５６へ進む。演算回路１０１は、操作信号が感度ダウンを指示しない場合にステップＳ１５５を否定判定し、図６による処理を終了して図２のステップＳ５へ進む。
【００５７】
ステップＳ１５６において、演算回路１０１は、ＳＶｓ＝５か否かを判定する。演算回路１０１は、ＳＶｓ＝５（設定撮像感度がＩＳＯ１００相当）の場合にステップＳ１５６を肯定判定して図６による処理を終了し、図２のステップＳ５へ進む。この場合は、撮像感度設定範囲の下限なのでさらなる感度ダウンをすることなく設定処理を終了する。一方、演算回路１０１は、ＳＶｓ≠５の場合にステップＳ１５６を否定判定し、ステップＳ１５７へ進む。ステップＳ１５７において、演算回路１０１は、設定撮像感度ＳＶｓから１／３を減算して図６による処理を終了し、図２のステップＳ５へ進む。これにより、設定撮像感度ＳＶｓが１／３段階低く変更される。
【００５８】
ステップＳ１５１を否定判定して進むステップＳ１５８において、演算回路１０１は、露出モードについて変更操作が行われたか否かを判定する。演算回路１０１は、露出モード設定操作部材１０３から操作信号が入力された場合にステップＳ１５８を肯定判定してステップＳ１５９へ進み、露出モード設定操作部材１０３から操作信号が入力されない場合にステップＳ１５８を否定判定し、図７のステップＳ１７１へ進む。
【００５９】
ステップＳ１５９において、演算回路１０１は、モードパラメータＭｐ＝４か否かを判定する。演算回路１０１は、Ｍｐ＝４（電子カメラがマニュアル露出モード（Ｍ）に設定されている）の場合にステップＳ１５９を肯定判定してステップＳ１６１へ進み、Ｍｐ≠４の場合にステップＳ１５９を否定判定し、ステップＳ１６０へ進む。
【００６０】
ステップＳ１６０において、演算回路１０１は、モードパラメータＭｐに１を加算し（Ｍｐの値に対応する露出制御モードに変更する）、図６による処理を終了して図２のステップＳ５へ進む。ステップＳ１６１において、演算回路１０１は、モードパラメータＭｐを１に設定し（プログラム自動露出制御モード（Ｐ）に変更する）、図６による処理を終了して図２のステップＳ５へ進む。これにより、露出モード設定操作部材１０３から操作信号が演算回路１０１へ入力されるごとに、露出制御モードがＰ→Ｓ→Ａ→Ｍ→Ｐ…とサイクリックに変更される。
【００６１】
図７のステップＳ１７１において、演算回路１０１は、モードパラメータＭｐ＝２か否かを判定する。演算回路１０１は、Ｍｐ＝２（電子カメラがシャッタ速度優先（露光時間優先）自動露出制御モード（Ｓ）に設定されている）の場合にステップＳ１７１を肯定判定してステップＳ１７３へ進み、Ｍｐ≠２の場合にステップＳ１７１を否定判定し、ステップＳ１７２へ進む。
【００６２】
ステップＳ１７２において、演算回路１０１は、モードパラメータＭｐ＝４か否かを判定する。演算回路１０１は、Ｍｐ＝４（電子カメラがマニュアル露出モード（Ｍ）に設定されている）の場合にステップＳ１７２を肯定判定してステップＳ１７３へ進み、Ｍｐ≠４の場合にステップＳ１７２を否定判定してステップＳ１８０へ進む。
【００６３】
ステップＳ１７３において、演算回路１０１は、シャッタ速度の変更操作が行われたか否かを判定する。演算回路１０１は、シャッタ速度設定操作部材１０４から操作信号が入力された場合にステップＳ１７３を肯定判定してステップＳ１７４へ進み、シャッタ速度設定操作部材１０４から操作信号が入力されない場合にステップＳ１７３を否定判定してステップＳ１８０へ進む。
【００６４】
ステップＳ１７４において、演算回路１０１は、高速設定か否かの判定を行う。演算回路１０１は、シャッタ速度設定操作部材１０４からの操作信号が高速化を指示する場合にステップＳ１７４を肯定判定してステップＳ１７５へ進み、操作信号が高速化を指示しない場合にステップＳ１７４を否定判定し、ステップＳ１７７へ進む。
【００６５】
ステップＳ１７５において、演算回路１０１は、ＴＶｓ＝１２か否かを判定する。演算回路１０１は、ＴＶｓ＝１２（設定シャッタ速度が１／４０００秒）の場合にステップＳ１７５を肯定判定して図７による処理を終了し、図２のステップＳ５へ進む。この場合は、シャッタ速度設定範囲の上限なので高速化しないで設定処理を終了する。一方、演算回路１０１は、ＴＶｓ≠１２の場合にステップＳ１７５を否定判定し、ステップＳ１７６へ進む。ステップＳ１７６において、演算回路１０１は、設定シャッタ速度ＴＶｓに１を加算して図７による処理を終了し、図２のステップＳ５へ進む。これにより、設定シャッタ速度ＴＶｓが１段階高速になる。
【００６６】
ステップＳ１７７において、演算回路１０１は、低速設定か否かの判定を行う。演算回路１０１は、シャッタ速度設定操作部材１０４からの操作信号が低速化を指示する場合に、ステップＳ１７７を肯定判定してステップＳ１７８へ進む。演算回路１０１は、操作信号が低速化を指示しない場合にステップＳ１７７を否定判定し、図７による処理を終了して図２のステップＳ５へ進む。
【００６７】
ステップＳ１７８において、演算回路１０１は、ＴＶｓ＝−５か否かを判定する。演算回路１０１は、ＴＶｓ＝−５（設定シャッタ速度が３０秒）の場合にステップＳ１７８を肯定判定して図７による処理を終了し、図２のステップＳ５へ進む。この場合は、シャッタ速度設定範囲の下限なので低速化しないで設定処理を終了する。一方、演算回路１０１は、ＴＶｓ≠−５の場合にステップＳ１７８を否定判定し、ステップＳ１７９へ進む。ステップＳ１７９において、演算回路１０１は、設定シャッタ速度ＴＶｓから１を減算して図７による処理を終了し、図２のステップＳ５へ進む。これにより、設定シャッタ速度ＴＶｓが１段階低速になる。
【００６８】
ステップＳ１８０において、演算回路１０１は、モードパラメータＭｐ＝３か否かを判定する。演算回路１０１は、Ｍｐ＝３（電子カメラが絞り優先自動露出制御モード（Ａ）に設定されている）の場合にステップＳ１８０を肯定判定してステップＳ１８２へ進み、Ｍｐ≠３の場合にステップＳ１８０を否定判定し、ステップＳ１８１へ進む。
【００６９】
ステップＳ１８１において、演算回路１０１は、モードパラメータＭｐ＝４か否かを判定する。演算回路１０１は、Ｍｐ＝４（電子カメラがマニュアル露出モード（Ｍ）に設定されている）の場合にステップＳ１８１を肯定判定してステップＳ１８２へ進み、Ｍｐ≠４の場合にステップＳ１８１を否定判定し、図７による処理を終了して図２のステップＳ５へ進む。
【００７０】
ステップＳ１８２において、演算回路１０１は、絞り値の変更操作が行われたか否かを判定する。演算回路１０１は、絞り設定操作部材１０５から操作信号が入力された場合にステップＳ１８２を肯定判定してステップＳ１８３へ進み、絞り設定操作部材１０５から操作信号が入力されない場合にステップＳ１８２を否定判定し、図７による処理を終了して図２のステップＳ５へ進む。
【００７１】
ステップＳ１８３において、演算回路１０１は、絞り口径を小さくする（絞り値を大にする）設定か否かの判定を行う。演算回路１０１は、絞り設定操作部材１０５からの操作信号が絞り値を大きくする方向を指示する場合にステップＳ１８３を肯定判定してステップＳ１８４へ進み、操作信号が絞り値を大きくする方向を指示しない場合にステップＳ１８３を否定判定してステップＳ１８７へ進む。
【００７２】
ステップＳ１８４において、演算回路１０１は、設定絞り値ＡＶｓに１を加算してステップＳ１８５へ進む。これにより、絞り口径が１絞り分小さくなる。すなわち、設定絞り値ＡＶｓが１段階大きくなる。
【００７３】
ステップＳ１８５において、演算回路１０１は、ＡＶｓ＞ＡＶMが成立するか否かを判定する。演算回路１０１は、、ＡＶｓ＞ＡＶMが成立する場合にステップＳ１８５を肯定判定してステップＳ１８６へ進み、ＡＶｓ＞ＡＶMが成立しない場合にはステップＳ１８５を否定判定し、図７による処理を終了して図２のステップＳ５へ進む。
【００７４】
ステップＳ１８６において、演算回路１０１は、ＡＶｓにＡＶM（最小口径絞り値）を設定して図７による処理を終了し、図２のステップＳ５へ進む。これにより、設定絞り値が絞り値設定範囲の上限に制限される。
【００７５】
ステップＳ１８７において、演算回路１０１は、絞り口径を大きくする（絞り値を小にする）設定か否かの判定を行う。演算回路１０１は、絞り設定操作部材１０５からの操作信号が絞り値を小さくする方向を指示する場合にステップＳ１８７を肯定判定してステップＳ１８８へ進む。演算回路１０１は、操作信号が絞り値を小さくする方向を指示しない場合にステップＳ１８７を否定判定し、図７による処理を終了して図２のステップＳ５へ進む。
【００７６】
ステップＳ１８８において、演算回路１０１は、設定絞り値ＡＶｓから１を減算してステップＳ１８９へ進む。これにより、絞り口径が１絞り分大きくなる。すなわち、設定絞り値ＡＶｓが１段階小さくなる。
【００７７】
ステップＳ１８９において、演算回路１０１は、ＡＶｓ＜ＡＶ0が成立するか否かを判定する。演算回路１０１は、、ＡＶｓ＜ＡＶ0が成立する場合にステップＳ１８９を肯定判定してステップＳ１９０へ進み、ＡＶｓ＜ＡＶ0が成立しない場合にはステップＳ１８９を否定判定し、図７による処理を終了して図２のステップＳ５へ進む。
【００７８】
ステップＳ１９０において、演算回路１０１は、ＡＶｓにＡＶ0（開放絞り値）を設定して図７による処理を終了し、図２のステップＳ５へ進む。これにより、設定絞り値が絞り値設定範囲の下限に制限される。
【００７９】
（露出演算処理）
露出演算処理の詳細について、図８〜図１０のフローチャートを参照して説明する。図８のステップＳ２０１において、演算回路１０１は、ステップＳ５にてレンズ透過光量（ＢＶ−ＡＶ0）をもとに算出した被写体輝度ＢＶを用いて、ＥＶ＝ＢＶ＋ＳＶｓを演算してステップＳ２０２へ進む。ここで、ＥＶは露出値である。設定撮像感度ＳＶｓは、感度設定操作部材１０２の操作により設定されている撮像感度である。
【００８０】
ステップＳ２０２において、演算回路１０１は、モードパラメータＭｐ＝１か否かを判定する。演算回路１０１は、Ｍｐ＝１（電子カメラがプログラム自動露出制御モード（Ｐ）に設定されている）の場合にステップＳ２０２を肯定判定してステップＳ２０３へ進み、Ｍｐ≠１の場合にステップＳ２０２を否定判定し、図１０のステップＳ２５１へ進む。
【００８１】
（プログラム自動露出演算）
ステップＳ２０３以降は、プログラム自動露出演算処理を行う。ステップＳ２０３において、演算回路１０１は、ＡＶｃ＝ＥＶ／２−１を演算してステップＳ２０４へ進む。ここで、ＡＶｃは制御絞り値である。ステップＳ２０４において、演算回路１０１は、ＡＶｃ＜ＡＶ0が成立するか否かを判定する。演算回路１０１は、ＡＶｃ＜ＡＶ0が成立する（制御絞り値が開放絞り値より小さい）場合にステップＳ２０４を肯定判定してステップＳ２０５へ進み、ＡＶｃ＜ＡＶ0が成立しない場合にステップＳ２０４を否定判定してステップＳ２０６へ進む。ステップＳ２０５において、演算回路１０１は、制御絞り値ＡＶｃをＡＶ0の値にセットしてステップＳ２０８へ進む。これにより、制御絞り値が制御範囲の下限である開放絞り値にセットされる。
【００８２】
ステップＳ２０６において、演算回路１０１は、ＡＶｃ＞ＡＶMが成立するか否かを判定する。演算回路１０１は、ＡＶｃ＞ＡＶMが成立する（制御絞り値が最小口径絞り値より大きい）場合にステップＳ２０６を肯定判定してステップＳ２０７へ進み、ＡＶｃ＞ＡＶMが成立しない場合にステップＳ２０６を否定判定してステップＳ２０８へ進む。ステップＳ２０７において、演算回路１０１は、制御絞り値ＡＶｃをＡＶMの値にセットしてステップＳ２０８へ進む。これにより、制御絞り値が制御範囲の上限である最小口径絞り値にセットされる。
【００８３】
ステップＳ２０８において、演算回路１０１は、制御絞りパルス数Ｐｃを絞り込み段数（ＡＶｃ−ＡＶ0）の関数ｆとして算出し、ステップＳ２０９へ進む。制御絞りパルス数Ｐｃは、制御絞り値ＡＶｃで絞りを係止するまでに絞り位置検出装置１１６から出力される検出パルス数である。絞り込み段数と絞りパルス数とは基本的に比例関係にあるが、絞り開放付近で出力される絞り検出パルス数が多くなるので、絞り込み段数（ＡＶｃ−ＡＶ0）の関数ｆとして算出する。ステップＳ２０９において、演算回路１０１は、ＴＶｃ＝ＥＶ−ＡＶｃを演算してステップＳ２１０へ進む。ここで、ＴＶｃは制御シャッタ速度である。
【００８４】
ステップＳ２１０において、演算回路１０１は、感度自動変更モード設定フラグＳ＝１か否かを判定する。演算回路１０１は、Ｓ＝１（撮像感度自動変更モードに設定）の場合にステップＳ２１０を肯定判定してステップＳ２１７へ進み、Ｓ＝０（撮像感度自動変更モードが解除）の場合にステップＳ２１０を否定判定してステップＳ２１１へ進む。
【００８５】
ステップＳ２１１において、演算回路１０１は、ＴＶｃ＜−５が成立するか否かを判定する。演算回路１０１は、ＴＶｃ＜−５が成立する（制御シャッタ速度が３０秒より低速）場合にステップＳ２１１を肯定判定してステップＳ２１２へ進み、ＴＶｃ＜−５が成立しない場合にステップＳ２１１を否定判定してステップＳ２１３へ進む。ステップＳ２１２において、演算回路１０１は、制御シャッタ速度ＴＶｃに−５をセットしてステップＳ２１５へ進む。これにより、制御シャッタ速度が制御範囲の下限である３０秒にセットされる。
【００８６】
ステップＳ２１１を否定判定して進むステップＳ２１３において、演算回路１０１は、ＴＶｃ＞１２が成立するか否かを判定する。演算回路１０１は、ＴＶｃ＞１２が成立する（制御シャッタ速度が１／４０００秒より高速）場合にステップＳ２１３を肯定判定してステップＳ２１４へ進み、ＴＶｃ＞１２が成立しない場合にステップＳ２１３を否定判定してステップＳ２１５へ進む。ステップＳ２１４において、演算回路１０１は、制御シャッタ速度ＴＶｃに１２をセットしてステップＳ２１５へ進む。これにより、制御シャッタ速度が制御範囲の上限である１／４０００秒にセットされる。
【００８７】
ステップＳ２１５において、演算回路１０１は、制御撮像感度ＳＶｃに設定撮像感度ＳＶｓをセットしてステップＳ２１６へ進む。ステップＳ２１６において、演算回路１０１は、フラグＣを０にセットして図８による処理を終了し、図２のステップＳ７へ進む。ここで、フラグＣは撮像感度が設定撮像感度ＳＶｓから変更された場合（ＳＶｃ≠ＳＶｓ）に１、撮像感度が設定撮像感度ＳＶｓから変更されない場合（ＳＶｃ＝ＳＶｓ）に０とするフラグである。
【００８８】
撮像感度自動変更モードに設定されている場合に進むステップＳ２１７において、演算回路１０１は、ＴＶｃ＜ＴＶ0が成立するか否かを判定する。演算回路１０１は、ＴＶｃ＜ＴＶ0が成立する（制御シャッタ速度が感度変更シャッタ速度より低速）場合にステップＳ２１７を肯定判定してステップＳ２１８へ進み、ＴＶｃ＜ＴＶ0が成立しない場合にステップＳ２１７を否定判定してステップＳ２２０へ進む。
【００８９】
ステップＳ２１８において、演算回路１０１は、次式（１）によってシャッタ速度差ΔＴＶを演算してステップＳ２１９へ進む。
ΔＴＶ＝ＴＶ0−ＴＶｃ                              （１）
【００９０】
ステップＳ２１９において、演算回路１０１は、制御シャッタ速度ＴＶｃに感度変更シャッタ速度ＴＶ0の値をセットしてステップＳ２２４へ進む。これにより、制御シャッタ速度が感度変更シャッタ速度ＴＶ0まで速められる。ステップＳ２２０において、演算回路１０１は、ＴＶｃ＞１２が成立するか否かを判定する。演算回路１０１は、ＴＶｃ＞１２が成立する（制御シャッタ速度が１／４０００秒より高速）場合にステップＳ２２０を肯定判定してステップＳ２２１へ進み、ＴＶｃ＞１２が成立しない場合にステップＳ２２０を否定判定してステップＳ２２３へ進む。ステップＳ２２１において、演算回路１０１は、次式（２）によってシャッタ速度差ΔＴＶを演算してステップＳ２２２へ進む。
ΔＴＶ＝１２−ＴＶｃ                               （２）
【００９１】
ステップＳ２２２において、演算回路１０１は、制御シャッタ速度ＴＶｃに１２をセットしてステップＳ２２４へ進む。これにより、制御シャッタ速度が制御範囲の上限である１／４０００秒にセットされる。ステップＳ２２３において、演算回路１０１は、シャッタ速度差ΔＴＶの値を０に設定してステップＳ２２４へ進む。
【００９２】
ステップＳ２２４において、演算回路１０１は、ＳＶｃ＝ＳＶｓ＋ΔＴＶを演算して図９のステップＳ２３１へ進む。ステップＳ２１７〜ステップＳ２２４では、制御シャッタ速度ＴＶｃについてＴＶ0≦ＴＶｃ≦１２が成立する場合はΔＴＶを０とし、ＴＶｃ＜ＴＶ0が成立する場合はΔＴＶを（ＴＶ0−ＴＶｃ）とし、ＴＶｃ＞１２が成立する場合はΔＴＶを（１２−ＴＶｃ）とする。
【００９３】
図９のステップＳ２３１において、演算回路１０１は、ＳＶｃ＞ＳUが成立するか否かを判定する。演算回路１０１は、ＳＶｃ＞ＳUが成立する（制御撮像感度が制御上限感度ＳUより高い）場合にステップＳ２３１を肯定判定してステップＳ２３２へ進み、ＳＶｃ＞ＳUが成立しない場合にステップＳ２３１を否定判定してステップＳ２３７へ進む。
【００９４】
ステップＳ２３２において、演算回路１０１は、次式（３）によって感度差ΔＳＶを演算してステップＳ２３３へ進む。
ΔＳＶ＝ＳＶｃ−ＳU                                （３）
【００９５】
ステップＳ２３３において、演算回路１０１は、制御撮像感度ＳＶｃに制御上限感度ＳUの値をセットしてステップＳ２３４へ進む。ステップＳ２３４において、演算回路１０１は、ＴＶｃ＝ＴＶｃ−ΔＳＶを演算してステップＳ２３５へ進む。これにより、制御撮像感度ＳＶｃを制御上限感度ＳUに設定した状態で適正露出が得られるように、制御シャッタ速度ＴＶｃが低速側に変更される。
【００９６】
ステップＳ２３５において、演算回路１０１は、ＴＶｃ＜−５が成立するか否かを判定する。演算回路１０１は、ＴＶｃ＜−５が成立する（制御シャッタ速度が３０秒より遅い）場合にステップＳ２３５を肯定判定してステップＳ２３６へ進み、ＴＶｃ＜−５が成立しない場合にステップＳ２３５を否定判定してステップＳ２４３へ進む。ステップＳ２３６において、演算回路１０１は、制御シャッタ速度ＴＶｃに−５をセットしてステップＳ２４３へ進む。これにより、制御シャッタ速度ＴＶｃが制御範囲の下限である３０秒にセットされる。
【００９７】
ステップＳ２３７において、演算回路１０１は、ＳＶｃ＜ＳDが成立するか否かを判定する。演算回路１０１は、ＳＶｃ＜ＳDが成立する（制御撮像感度が制御下限感度ＳDより低い）場合にステップＳ２３７を肯定判定してステップＳ２３８へ進み、ＳＶｃ＜ＳDが成立しない場合にステップＳ２３７を否定判定してステップＳ２４３へ進む。
【００９８】
ステップＳ２３８において、演算回路１０１は、次式（４）によって感度差ΔＳＶを演算してステップＳ２３９へ進む。
ΔＳＶ＝ＳＶｃ−ＳD                                （４）
【００９９】
ステップＳ２３９において、演算回路１０１は、制御撮像感度ＳＶｃに制御下限感度ＳDの値をセットしてステップＳ２４０へ進む。ステップＳ２４０において、演算回路１０１は、ＴＶｃ＝ＴＶｃ−ΔＳＶを演算してステップＳ２４１へ進む。これにより、制御撮像感度ＳＶｃを制御下限感度ＳDに設定した状態で適正露出が得られるように、制御シャッタ速度ＴＶｃが高速側に変更される。
【０１００】
ステップＳ２４１において、演算回路１０１は、ＴＶｃ＞１２が成立するか否かを判定する。演算回路１０１は、ＴＶｃ＞１２が成立する（制御シャッタ速度が１／４０００秒より速い）場合にステップＳ２４１を肯定判定してステップＳ２４２へ進み、ＴＶｃ＞１２が成立しない場合にステップＳ２４１を否定判定してステップＳ２４３へ進む。ステップＳ２４２において、演算回路１０１は、制御シャッタ速度ＴＶｃに１２をセットしてステップＳ２４３へ進む。これにより、制御シャッタ速度ＴＶｃが制御範囲の上限である１／４０００秒にセットされる。
【０１０１】
ステップＳ２４３において、演算回路１０１は、ＳＶｃ＝ＳＶｓが成立するか否かを判定する。演算回路１０１は、ＳＶｃ＝ＳＶｓが成立しない場合にステップＳ２４３を否定判定してステップＳ２４５へ進み、ＳＶｃ＝ＳＶｓが成立する場合にステップＳ２４３を肯定判定してステップＳ２４４へ進む。ステップＳ２４４において、演算回路１０１は、フラグＣに０をセットして図９による処理を終了し、図２のステップＳ７へ進む。ステップＳ２４５において、演算回路１０１は、フラグＣに１をセットして図９による処理を終了し、図２のステップＳ７へ進む。
【０１０２】
図８のステップＳ２０２を否定判定して進む図１０のステップＳ２５１において、演算回路１０１は、モードパラメータＭｐ＝２か否かを判定する。演算回路１０１は、Ｍｐ＝２（電子カメラがシャッタ速度優先自動露出制御モード（Ｓ）に設定されている）の場合にステップＳ２５１を肯定判定してステップＳ２５２へ進み、Ｍｐ≠２の場合にステップＳ２５１を否定判定し、ステップＳ２７１へ進む。
【０１０３】
（シャッタ速度優先自動露出演算）
ステップＳ２５２以降は、シャッタ速度優先自動露出演算を行う。ステップＳ２５２において、演算回路１０１は、制御シャッタ速度ＴＶｃに設定シャッタ速度ＴＶｓをセットしてステップＳ２５３へ進む。ステップＳ２５３において、演算回路１０１は、ＡＶｃ＝ＥＶ−ＴＶｃを演算してステップＳ２５４へ進む。ここで、ＡＶｃは制御絞り値である。
【０１０４】
ステップＳ２５４において、演算回路１０１は、ＡＶｃ＜ＡＶ0が成立するか否かを判定する。演算回路１０１は、ＡＶｃ＜ＡＶ0が成立する（制御絞り値が開放絞り値より小さい）場合にステップＳ２５４を肯定判定してステップＳ２５５へ進み、ＡＶｃ＜ＡＶ0が成立しない場合にステップＳ２５４を否定判定してステップＳ２５６へ進む。ステップＳ２５５において、演算回路１０１は、制御絞り値ＡＶｃをＡＶ0の値にセットしてステップＳ２５８へ進む。これにより、制御絞り値が制御範囲の下限である開放絞り値にセットされる。
【０１０５】
上述したステップＳ２５４を否定判定して進むステップＳ２５６において、演算回路１０１は、ＡＶｃ＞ＡＶMが成立するか否かを判定する。演算回路１０１は、ＡＶｃ＞ＡＶMが成立する（制御絞り値が最小口径絞り値より大きい）場合にステップＳ２５６を肯定判定してステップＳ２５７へ進み、ＡＶｃ＞ＡＶMが成立しない場合にステップＳ２５６を否定判定してステップＳ２５８へ進む。ステップＳ２５７において、演算回路１０１は、制御絞り値ＡＶｃをＡＶMの値にセットしてステップＳ２５８へ進む。これにより、制御絞り値が制御範囲の上限である最小口径絞り値にセットされる。
【０１０６】
ステップＳ２５８において、演算回路１０１は、制御絞りパルス数Ｐｃを絞り込み段数（ＡＶｃ−ＡＶ0）の関数ｆとして算出し、ステップＳ２５９へ進む。ステップＳ２５９において、演算回路１０１は、感度自動変更モード設定フラグＳ＝１か否かを判定する。演算回路１０１は、Ｓ＝１（撮像感度自動変更モードに設定）の場合にステップＳ２５９を肯定判定してステップＳ２６１へ進み、Ｓ＝０（撮像感度自動変更モードが解除）の場合にステップＳ２５９を否定判定して図８のステップＳ２１５へ進む。ステップＳ２１５以降は、プログラム自動露出演算の場合と共通である。
【０１０７】
撮像感度自動変更モードに設定されている場合に進むステップＳ２６１において、演算回路１０１は、次式（５）によって露出偏差ΔＥＶを演算してステップＳ２６２へ進む。
ΔＥＶ＝ＡＶｃ＋ＴＶｃ−ＥＶ                       （５）
ただし、（ＡＶｃ＋ＴＶｃ）は制御露出であり、ＥＶは適正露出である。
【０１０８】
ステップＳ２６２において、演算回路１０１は、ＳＶｃ＝ＳＶｓ＋ΔＥＶを演算してステップＳ２６３へ進む。ステップＳ２６３において、演算回路１０１は、ＳＶｃ＞ＳUが成立するか否かを判定する。演算回路１０１は、ＳＶｃ＞ＳUが成立する（制御撮像感度が制御上限感度ＳUより高い）場合にステップＳ２６３を肯定判定してステップＳ２６４へ進み、ＳＶｃ＞ＳUが成立しない場合にステップＳ２６３を否定判定してステップＳ２６５へ進む。ステップＳ２６４において、演算回路１０１は、制御撮像感度ＳＶｃに制御上限感度ＳUの値をセットしてステップＳ２６７へ進む。
【０１０９】
ステップＳ２６５において、演算回路１０１は、ＳＶｃ＜ＳDが成立するか否かを判定する。演算回路１０１は、ＳＶｃ＜ＳDが成立する（制御撮像感度が制御下限感度ＳDより低い）場合にステップＳ２６５を肯定判定してステップＳ２６６へ進み、ＳＶｃ＜ＳDが成立しない場合にステップＳ２６５を否定判定してステップＳ２６７へ進む。ステップＳ２６６において、演算回路１０１は、制御撮像感度ＳＶｃに制御下限感度ＳDの値をセットしてステップＳ２６７へ進む。
【０１１０】
ステップＳ２６７において、演算回路１０１は、次式（６）によって露出偏差ΔＥＶを演算して図９のステップＳ２４３へ進む。ステップＳ２４３以降は、プログラム自動露出演算の場合と共通である。
ΔＥＶ＝ＡＶｃ＋ＴＶｃ−ＢＶ−ＳＶｃ               （６）
【０１１１】
上述したステップＳ２５１を否定判定して進むステップＳ２７１において、演算回路１０１は、モードパラメータＭｐ＝３か否かを判定する。演算回路１０１は、Ｍｐ＝３（電子カメラが絞り優先自動露出制御モード（Ａ）に設定されている）の場合にステップＳ２７１を肯定判定してステップＳ２７２へ進み、Ｍｐ≠３の場合にステップＳ２７１を否定判定してステップＳ２７３へ進む。
【０１１２】
（絞り優先自動露出演算）
ステップＳ２７２以降は、絞り優先自動露出演算処理を行う。ステップＳ２７２において、演算回路１０１は、制御絞り値ＡＶｃに設定絞り値ＡＶｓをセットして図８のステップＳ２０４へ進む。ステップＳ２０４以降は、プログラム自動露出演算の場合と共通である。
【０１１３】
（マニュアル露出演算）
ステップＳ２７３以降は、マニュアル露出演算処理を行う。ステップＳ２７３において、演算回路１０１は、制御シャッタ速度ＴＶｃに設定シャッタ速度ＴＶｓをセットしてステップＳ２７４へ進む。ステップＳ２７４において、演算回路１０１は、制御絞り値ＡＶｃに設定絞り値ＡＶｓをセットしてステップＳ２７５へ進む。
【０１１４】
ステップＳ２７５において、演算回路１０１は、次式（７）によって露出偏差ΔＥＶを演算してステップＳ２５８へ進む。ステップＳ２５８以降は、シャッタ速度優先自動露出演算の場合と共通である。
ΔＥＶ＝ＡＶｓ＋ＴＶｓ−ＥＶ                       （７）
【０１１５】
（表示処理）
表示処理の詳細について、図１１のフローチャートを参照して説明する。図１１のステップＳ３０１において、演算回路１０１は、感度自動変更モード設定フラグＳ＝１か否かを判定する。演算回路１０１は、Ｓ＝１（撮像感度自動変更モードに設定）の場合にステップＳ３０１を肯定判定してステップＳ３０２へ進み、Ｓ＝０（撮像感度自動変更モードが解除）の場合にステップＳ３０１を否定判定してステップＳ３０６へ進む。
【０１１６】
ステップＳ３０２において、演算回路１０１は、制御撮像感度ＳＶｃを表示装置１０７に点灯表示させてステップＳ３０３へ進む。表示装置１０７は、アペックス値に対応するＩＳＯ値を表示する。ステップＳ３０３において、演算回路１０１は、フラグＣ＝１か否かを判定する。演算回路１０１は、Ｃ＝１（ＳＶｃ≠ＳＶｓ）の場合にステップＳ３０３を肯定判定してステップＳ３０４へ進み、Ｃ＝０（ＳＶｃ＝ＳＶｓ）の場合にステップＳ３０３を否定判定してステップＳ３０５へ進む。
【０１１７】
ステップＳ３０４において、演算回路１０１は、「ＩＳＯ  ＡＵＴＯ」の文字もしくはマークを表示装置１０７に点滅表示させ、ステップＳ３０７へ進む。
【０１１８】
ステップＳ３０５において、演算回路１０１は、「ＩＳＯ  ＡＵＴＯ」の文字もしくはマークを表示装置１０７に点灯表示させ、ステップＳ３０７へ進む。
【０１１９】
ステップＳ３０６において、演算回路１０１は、設定撮像感度ＳＶｓを表示装置１０７に点灯表示させてステップＳ３０７へ進む。表示装置１０７は、アペックス値に対応するＩＳＯ値を表示する。
【０１２０】
ステップＳ３０７において、演算回路１０１は、モードパラメータＭｐ＝１か否かを判定する。演算回路１０１は、Ｍｐ＝１（電子カメラがプログラム自動露出制御モード（Ｐ）に設定されている）の場合にステップＳ３０７を肯定判定してステップＳ３０８へ進み、Ｍｐ≠１の場合にステップＳ３０７を否定判定してステップＳ３０９へ進む。
【０１２１】
ステップＳ３０９において、演算回路１０１は、モードパラメータＭｐ＝２か否かを判定する。演算回路１０１は、Ｍｐ＝２（電子カメラがシャッタ速度優先自動露出制御モード（Ｓ）に設定されている）の場合にステップＳ３０９を肯定判定してステップＳ３１０へ進み、Ｍｐ≠２の場合にステップＳ３０９を否定判定し、ステップＳ３１１へ進む。
【０１２２】
ステップＳ３１１において、演算回路１０１は、モードパラメータＭｐ＝３か否かを判定する。演算回路１０１は、Ｍｐ＝３（電子カメラが絞り優先自動露出制御モード（Ａ）に設定されている）の場合にステップＳ３１１を肯定判定してステップＳ３１２へ進み、Ｍｐ≠３の場合にステップＳ３１１を否定判定してステップＳ３１３へ進む。
【０１２３】
ステップＳ３０８において、演算回路１０１は、Ｐモードであること、制御シャッタ速度ＴＶｃ、制御絞り値ＡＶｃを表示装置１０７に点灯表示させ、図１１による処理を終了して図２のステップＳ８へ進む。なお、表示装置１０７は、シャッタ速度と絞り値のそれぞれアペックス値に対応する値を表示する。
【０１２４】
ステップＳ３１０において、演算回路１０１は、Ｓモードであること、設定シャッタ速度ＴＶｓ、制御絞り値ＡＶｃを表示装置１０７に点灯表示させ、図１１による処理を終了して図２のステップＳ８へ進む。なお、表示装置１０７は、シャッタ速度と絞り値のそれぞれアペックス値に対応する値を表示する。
【０１２５】
ステップＳ３１２において、演算回路１０１は、Ａモードであること、制御シャッタ速度ＴＶｃ、設定絞り値ＡＶｓを表示装置１０７に点灯表示させ、図１１による処理を終了して図２のステップＳ８へ進む。なお、表示装置１０７は、シャッタ速度と絞り値のそれぞれアペックス値に対応する値を表示する。
【０１２６】
ステップＳ３１３において、演算回路１０１は、Ｍモードであること、設定シャッタ速度ＴＶｓ、設定絞り値ＡＶｓ、露出偏差（−ΔＥＶ）を表示装置１０７に点灯表示させ、図１１による処理を終了して図２のステップＳ８へ進む。なお、表示装置１０７は、シャッタ速度と絞り値のそれぞれアペックス値に対応する値を表示し、露出偏差はその段数差がわかるバー表示などで表す。
【０１２７】
（撮像シーケンス処理）
撮像シーケンス処理の詳細について、図１２のフローチャートを参照して説明する。図１４のステップＳ４０１において、演算回路１０１は、シャッタ駆動回路１１４に指令を出力し、シャッタ１１５の不図示のマグネットに通電して先幕および後幕を保持させる。ステップＳ４０２において、演算回路１０１は、モータ駆動回路１１２に指令を出力し、シーケンスモータ１１３に正転を開始させてステップＳ４０３へ進む。これにより、不図示のミラーのミラーアップおよび絞りの絞り込みが開始される。ステップＳ４０３において、演算回路１０１は、絞り位置検出装置１１６から入力される信号によって検出絞りパルス数Ｐｋを検出してステップＳ４０４へ進む。
【０１２８】
ステップＳ４０４において、演算回路１０１は、検出絞りパルス数Ｐｋおよび制御絞りパルス数Ｐｃとの間にＰｋ≧Ｐｃが成立するか否かを判定する。演算回路１０１は、Ｐｋ≧Ｐｃが成立する場合にステップＳ４０４を肯定判定してステップＳ４０５へ進み、Ｐｋ≧Ｐｃが成立しない場合にステップＳ４０４を否定判定する。否定判定する場合には、絞り込みを継続するようにステップＳ４０３へ戻る。
【０１２９】
ステップＳ４０５において、演算回路１０１は、絞り係止装置１１７に指令を出力して絞りを係止させ、ステップＳ４０６へ進む。ステップＳ４０６において、演算回路１０１は、ミラーアップが終了したか否かを判定する。演算回路１０１は、シーケンススイッチＳＷ２からオン信号が入力されるとステップＳ４０６を肯定判定してステップＳ４０７へ進み、シーケンススイッチＳＷ２からオン信号が入力されない場合はステップＳ４０６を否定判定する。否定判定する場合には、ミラーアップを継続するように判定処理を繰り返す。
【０１３０】
ステップＳ４０７において、演算回路１０１は、モータ駆動回路１１２に指令を出力し、シーケンスモータ１１３を停止させてステップＳ４０８へ進む。なお、ミラーアップの終了より先に絞り係止装置１１７によって絞りの係止が終了するように不図示のシーケンス駆動装置が構成されている。ステップＳ４０８において、演算回路１０１は、所定時間のウエイトをおいてステップＳ４０９へ進む。所定時間は、ミラーアップ後のバウンドが安定するまでに要する時間とする。
【０１３１】
ステップＳ４０９において、演算回路１０１は、タイミング回路１２４に駆動信号の発生を開始させて撮像素子１２１の駆動を開始し、ステップＳ４１０へ進む。これにより、撮像素子１２１が電荷蓄積を開始する。ステップＳ４１０において、演算回路１０１は、シャッタ駆動回路１１４に指令を出力し、シャッタ１１５の不図示のマグネットへの通電を解除して先幕保持を解除させ、ステップＳ４１１へ進む。これによってシャッタ先幕の走行が開始され、撮像素子１２１の撮像面に到達した被写体光の強さに応じて撮像素子１２１が電荷を蓄積する。ステップＳ４１１において、演算回路１０１は、制御シャッタ速度ＴＶｃに相当する時間のウエイト後にシャッタ駆動回路１１４に指令を出力し、シャッタ１１５の不図示のマグネットへの通電を解除して後幕保持を解除させ、ステップＳ４１２へ進む。これによってシャッタ後幕の走行が開始され、撮像素子１２１への被写体光が遮断される。
【０１３２】
ステップＳ４１２において、演算回路１０１は、所定時間のウエイトをおいてステップＳ４１３へ進む。所定時間は、後幕が撮像素子１２１の撮像領域を完全に遮光し、走行完了するまでに要する時間とする。ステップＳ４１３において、演算回路１０１は、撮像素子１２１の電荷蓄積を終了させてステップＳ４１４へ進む。ステップＳ４１４において、演算回路１０１は、モータ駆動回路１１２に指令を出力し、シーケンスモータ１１３に逆転を開始させてステップＳ４１５へ進む。これにより、不図示のミラーのミラーダウンおよび絞りの開放復帰が開始される。ステップＳ４１５において、演算回路１０１は、タイミング回路１２４に指令を出力し、撮像素子１２１から蓄積電荷の読み出しを行い、ステップＳ４１６へ進む。
【０１３３】
ステップＳ４１６において、演算回路１０１は、ＡＳＩＣ１２３に画像処理を行わせ、ステップＳ４１７へ進む。ステップＳ４１７において、演算回路１０１は、ＡＳＩＣ１２３に画像圧縮処理を行わせ、ステップＳ４１８へ進む。ステップＳ４１８において、演算回路１０１は、画像圧縮後にバッファメモリ１２５に格納されている画像データを記録媒体１２６に記録してステップＳ４１９へ進む。
【０１３４】
ステップＳ４１９において、演算回路１０１は、ミラーダウンが終了したか否かを判定する。演算回路１０１は、シーケンススイッチＳＷ２からオン信号が入力されるとステップＳ４１９を肯定判定してステップＳ４２０へ進み、シーケンススイッチＳＷ２からオン信号が入力されない場合はステップＳ４１９を否定判定し、ミラーダウンを継続するように判定処理を繰り返す。
【０１３５】
ステップＳ４２０において、演算回路１０１は、モータ駆動回路１１２に指令を出力し、シーケンスモータ１１３を停止させて図１２による処理を終了し、図２のステップＳ２へ戻る。これにより、一連の撮影処理が終了する。
【０１３６】
以上説明した実施の形態についてまとめる。
（１）電子カメラは、演算によって制御シャッタ速度ＴＶｃを決定する露出モード（ＰモードおよびＡモード）では、被写体輝度ＢＶおよび設定撮像感度ＳＶｓから求められる露出値ＥＶを用いて露出演算し、撮像感度自動変更モードに設定されていれば（ステップＳ２１０を肯定判定）、適正露出が得られない場合に設定撮像感度ＳＶｓを変更して制御撮像感度ＳＶｃを演算する（ステップＳ２２４）。このとき、制御シャッタ速度ＴＶｃの範囲をＴＶ0（感度変更シャッタ速度）≦ＴＶｃ≦１２とするように制御撮像感度ＳＶｃを決定する（ステップＳ２１７〜Ｓ２２３）。制御撮像感度ＳＶｃがＳD（制御下限感度）≦ＳＶｃ≦ＳU（制御上限感度）の範囲に入らないとき、制御シャッタ速度ＴＶｃを−５≦ＴＶｃ≦１２の範囲においてさらに変更する（ステップＳ２３１〜Ｓ２４２）。 制御下限感度ＳDおよび制御上限感度ＳUは、カスタムセッティング操作部材１０６からの設定処理によって変更可能に構成される。
【０１３７】
（２）電子カメラは、シャッタ速度設定操作部材１０４からの設定操作によって制御シャッタ速度ＴＶｃを決定する露出モード（ＳモードおよびＭモード）では、被写体輝度ＢＶおよび設定撮像感度ＳＶｓから求められる露出値ＥＶを用いて露出演算し、撮像感度自動変更モードに設定されていれば（ステップＳ２５９を肯定判定）、適正露出が得られない場合に設定撮像感度ＳＶｓを変更して制御撮像感度ＳＶｃを演算する（ステップＳ２６２）。制御撮像感度ＳＶｃの範囲は、ＳD（制御下限感度）≦ＳＶｃ≦ＳU（制御上限感度）に制限する（ステップＳ２６３〜Ｓ２６６）。制御下限感度ＳDおよび制御上限感度ＳUは、カスタムセッティング操作部材１０６からの設定処理によって変更可能に構成される。
【０１３８】
上記（１）および（２）により、適正露出が得られない場合に電子カメラが変更する設定撮像感度ＳＶｓの上下限を、カスタムセッティング操作部材１０６からの設定処理によって設定（変更）可能に構成したので、撮影者が好みの感度制御範囲を設定できる。これにより、電子カメラが撮像感度を高める方向に撮像感度を変更する場合には撮影者が意図しない値まで高めてしまうことを防止でき、電子カメラが撮像感度を低くする方向に変更する場合には撮影者が意図しない値まで下げてしまうことを防止できる。
【０１３９】
以上の説明では、制御下限感度ＳDを設定処理によって変更する場合の下限を５（ＩＳＯ１００相当）にし、制御上限感度ＳUを設定処理によって変更する場合の上限を１１（ＩＳＯ６４００相当）にする例を説明したが、これら上下限で定まる変更範囲は説明した値どおりでなくてもよい。ただし、制御下限感度ＳDを設定処理によって変更する場合の上限は、設定処理によって設定される制御上限感度ＳUを超えないようにする。反対に、制御上限感度ＳUを設定処理によって変更する場合の下限は、設定処理によって設定される制御下限感度ＳDを下回らないようにする。
【０１４０】
以上の説明では、感度変更シャッタ速度ＴＶ0を設定処理によって変更する場合の範囲を−５≦ＴＶ0≦７、すなわち、３０秒〜１／１２５秒にする場合を説明したが、変更範囲は説明した値どおりでなくてもよい。
【０１４１】
また、制御下限感度ＳD、制御上限感度ＳU、感度変更シャッタ速度ＴＶ0を、装着される撮影レンズＬに応じて異ならせる構成にしてもよい。
【０１４２】
ステップＳ１１０において、制御上限感度ＳUを１段階高感度にするようにしたが、感度を高めるステップは１段に限らず、たとえば１／３段にしてもよい。
【０１４３】
ステップＳ１１３において、制御上限感度ＳUを１段階低感度にするようにしたが、感度を低くするステップは１段に限らず、たとえば１／３段にしてもよい。
【０１４４】
ステップＳ１１７において、制御下限感度ＳDを１段階高感度にするようにしたが、感度を高めるステップは１段に限らず、たとえば１／３段にしてもよい。
【０１４５】
ステップＳ１２０において、制御下限感度ＳDを１段階低感度にするようにしたが、感度を低くするステップは１段に限らず、たとえば１／３段にしてもよい。
【０１４６】
カスタムセッティング操作部材１０６を操作して制御下限感度ＳDおよび制御上限感度ＳUを変更するのは、電子カメラの使用者が行ってもよいし、サービスセンタなどにおいてサービスマンが行ってもよい。
【０１４７】
特許請求の範囲における各構成要素と、発明を実施するための最良の形態における各構成要素との対応について説明する。撮像装置は、たとえば、撮像素子１２１およびタイミング回路１２４によって構成される。輝度検出手段は、たとえば、測光装置１１１および演算回路１０１によって構成される。露光感度は、撮像感度が対応する。露出演算手段、露光感度変更範囲設定手段、露光感度変更手段、演算指示手段、露光時間変更手段は、たとえば、演算回路１０１によって構成される。設定指示は、たとえば、カスタムセッティング操作部材１０６からの操作信号が対応する。なお、以上の説明はあくまで一例であり、発明を解釈する上で、上記の実施形態の構成要素と本発明の構成要素との対応関係に何ら限定されるものではない。
【図面の簡単な説明】
【０１４８】
【図１】本発明の一実施形態による電子カメラの構成を示すブロック図である。
【図２】カメラ動作の処理の流れについて説明するフローチャートである。
【図３】通信処理の詳細について説明するフローチャートである。
【図４】設定処理の詳細について説明するフローチャートである。
【図５】設定処理の詳細について説明するフローチャートである。
【図６】設定処理の詳細について説明するフローチャートである。
【図７】設定処理の詳細について説明するフローチャートである。
【図８】露出演算処理の詳細について説明するフローチャートである。
【図９】露出演算処理の詳細について説明するフローチャートである。
【図１０】露出演算処理の詳細について説明するフローチャートである。
【図１１】表示処理の詳細について説明するフローチャートである。
【図１２】撮像シーケンス処理の詳細について説明するフローチャートである。
【符号の説明】
【０１４９】
１０１…演算回路
１０２…感度設定操作部材
１０３…露出モード設定操作部材
１０４…シャッタ速度設定操作部材
１０５…絞り設定操作部材
１０６…カスタムセッティング操作部材
１０７…表示装置
１０８…レンズ情報検出装置
１１１…測光装置
１２１…撮像素子
１２４…タイミング回路
Ｌ…撮影レンズ
ＳＷ１…レリーズスイッチ
【図１】
2006222757.tif 000003
【図２】
2006222757.tif 000004
【図３】
2006222757.tif 000005
【図４】
2006222757.tif 000006
【図５】
2006222757.tif 000007
【図６】
2006222757.tif 000008
【図７】
2006222757.tif 000009
【図８】
2006222757.tif 000010
【図９】
2006222757.tif 000011
【図１０】
2006222757.tif 000012
【図１１】
2006222757.tif 000013
【図１２】
2006222757.tif 000014